(57)【要約】      （修正有）【課題】蛍光灯と同様の照射角度を得ることが可能な蛍光灯型ＬＥＤ照明管を提供する。【解決手段】ＬＥＤ１２の発する光に対面する外装１３の内周壁に、当該光を乱反射させて拡散させるとともに、所定の透過度で透過させる光透過拡散フィルム１６を設けることで、前記ＬＥＤ１２の照射角度を、前記外装１３の軸方向に対して放射状にして蛍光灯型ＬＥＤ照明管１を形成する。【選択図】図６
0003176787.tif 000002
【実用新案登録請求の範囲】
【請求項１】
断面形状が略半円形状である半円筒状の基材の前記略半円形状の弦に対応する平面部に、当該平面部から垂直方向に発光する複数のＬＥＤを前記基材の軸方向に沿って配置し、当該基材の平面部に、半円筒状の透明性の外装を固定し、当該基材と当該外装との両端部に取り付けられる一対のホルダに、各ＬＥＤ毎に電気的に接続される通電用のピンをそれぞれ設けた蛍光灯型ＬＥＤ照明管であって、
前記ＬＥＤの発する光に対面する前記外装の内周壁に、当該光を乱反射させて拡散させるとともに、所定の透過度で透過させる光透過拡散フィルムを設けることで、前記ＬＥＤの照射角度を、前記外装の軸方向に対して放射状にした
ことを特徴とする蛍光灯型ＬＥＤ照明管。
【考案の詳細な説明】
【技術分野】
【０００１】
本考案は、蛍光灯型ＬＥＤ（発光ダイオード）照明管に関するものであり、詳しくは、従来の蛍光灯と同様の照射角度を得ることが可能な蛍光灯型ＬＥＤ照明管に関する。
【背景技術】
【０００２】
通常、筒状の直管型の蛍光灯には、両端に通電用のピンがそれぞれ設置されており、両端のピンを、天井などに予め設置されたコ字状の照明管装着部における両端の孔（取り付け部）にそれぞれ電気的に挿通することで、前記蛍光灯に電流を流し、照明可能としている。前記蛍光灯の端部に設けられる通電用のピンは、例えば、２本の丸ピンであり、前記両端の孔は、前記丸ピンに対応する。
【０００３】
ところで、近年、ＬＥＤ（発光ダイオード）の普及に伴い、蛍光灯型のＬＥＤ照明管が市販されるようになってきた。ここで、前記蛍光灯型ＬＥＤ照明管は、従来の蛍光灯が設置される照明管装着部に装着可能となる構造となっており、筒状の直管型に加工され、更に、両端に前記通電用のピンがそれぞれ設けられている。これにより、前記蛍光灯型ＬＥＤ照明管は、従来の蛍光灯が装着される照明管装着部にそのまま装着可能となり、従来の蛍光灯の代替品として市場に供給されている。
【０００４】
ここで、前記ＬＥＤを利用した技術として、例えば、特開２００６−１６４９２８号公報（特許文献１）には、劇場等の舞台裏の幕における照明を均一化するために、ＬＥＤを取り付けたベースを可動可変とすることにより、前記ＬＥＤの照射角度を調整する技術が開示されている。
【０００５】
又、特開２００２−１５０８０３号公報（特許文献２）には、ＬＥＤを利用した視線照明装置及び手術照明システムが開示されている。
【０００６】
更に、特開２００２−００８０２３号公報（特許文献３）には、ＬＥＤを利用した顔面情報照合システムが開示されている。
【０００７】
そして、日刊工業新聞（非特許文献１）には、直管型の蛍光灯に、複数のＬＥＤを軸方向に配置して、従来の蛍光灯とした蛍光灯型ＬＥＤ照明管が開示されている。
【先行技術文献】
【特許文献】
【０００８】
【特許文献１】特開２００６−１６４９２８号公報
【特許文献２】特開２００２−１５０８０３号公報
【特許文献３】特開２００２−００８０２３号公報
【非特許文献】
【０００９】
【非特許文献１】日刊工業新聞（掲載日２０１１年０７月０８日）
【考案の概要】
【考案が解決しようとする課題】
【００１０】
ところで、ＬＥＤは、その発光原理（エレクトロルミネセンス効果）により、直線性のある光が得られる。そのため、蛍光灯型ＬＥＤ照明管では、従来の蛍光灯と比較すると、ＬＥＤが発光する方向の照度が著しく高く（明るく）、それ以外の方向の照度が低く（暗く）なるという特徴がある。つまり、前記ＬＥＤを利用した蛍光灯型ＬＥＤ照明管では、特定の方向のみが著しく眩しくなるのである。
【００１１】
一方、従来の蛍光灯では、ガラス管の内部で放電させ、当該放電で発生する紫外線を、前記ガラス管の内周壁に予め塗布された蛍光体に当てて、可視光線に変換する。これにより、前記可視光線（光）は、前記ガラス管の軸方向に対して放射状に出射し、前記蛍光灯の周囲を満遍なく均等に照射することになる。
【００１２】
つまり、前記蛍光灯型ＬＥＤ照明管では、従来の蛍光灯に対して、光の照射角度が著しく異なるため、前記従来の蛍光灯に代替することが出来ないという問題がある。
【００１３】
そこで、本考案は、前記問題を解決するためになされたものであり、従来の蛍光灯と同様の照射角度を得ることが可能な蛍光灯型ＬＥＤ照明管を提供することを目的とする。
【課題を解決するための手段】
【００１４】
上述した課題を解決し、目的を達成するため、本考案に係る蛍光灯型ＬＥＤ照明管は、断面形状が略半円形状である半円筒状の基材の前記略半円形状の弦に対応する平面部に、当該平面部から垂直方向に発光する複数のＬＥＤを前記基材の軸方向に沿って配置する構成である。次に、前記蛍光灯型ＬＥＤ照明管は、当該基材の平面部に、半円筒状の透明性の外装を固定し、当該基材と当該外装との両端部に取り付けられる一対のホルダに、各ＬＥＤ毎に電気的に接続される通電用のピンをそれぞれ設けている。更に、以下の構成を採用する。
【００１５】
前記蛍光灯型ＬＥＤ照明管は、前記ＬＥＤの発する光に対面する前記外装の内周壁の全面に、当該光を乱反射させて拡散させるとともに、所定の透過度で透過させる光透過拡散フィルムを設けることで、前記ＬＥＤの照射角度を、前記外装の軸方向に対して放射状にしている。
【考案の効果】
【００１６】
本考案に係る蛍光灯型ＬＥＤ照明管によれば、従来の蛍光灯と同様の照射角度を得ることが可能となる。
【図面の簡単な説明】
【００１７】
【図１】本考案に係る蛍光灯型ＬＥＤ照明管の平面図である。
【図２】本考案に係る蛍光灯型ＬＥＤ照明管の底面図である。
【図３】本考案に係る蛍光灯型ＬＥＤ照明管の正面図である。
【図４】本考案に係る蛍光灯型ＬＥＤ照明管の左側面図である。
【図５】本考案に係る蛍光灯型ＬＥＤ照明管の斜視図である。
【図６】本考案に係る蛍光灯型ＬＥＤ照明管のＡ−Ａ線断面図である。
【考案を実施するための形態】
【００１８】
以下に、添付図面を参照して、本考案に係る蛍光灯型ＬＥＤ照明管の実施形態について説明し、本考案の理解に供する。尚、以下の実施形態は、本考案を具体化した一例であって、本考案の技術的範囲を限定する性格のものではない。
【００１９】
図１は、本考案に係る蛍光灯型ＬＥＤ照明管１の平面図であり、図２は、本考案に係る蛍光灯型ＬＥＤ照明管１の底面図である。図３は、本考案に係る蛍光灯型ＬＥＤ照明管１の正面図である。尚、本考案に係る蛍光灯型ＬＥＤ照明管１の背面図は、正面図と同様に表れるため、省略する。又、図４は、本考案に係る蛍光灯型ＬＥＤ照明管１の左側面図であり、図５は、本考案に係る蛍光灯型ＬＥＤ照明管１の斜視図である。図６は、本考案に係る蛍光灯型ＬＥＤ照明管１のＡ−Ａ線断面図である。
【００２０】
本考案に係る蛍光灯型ＬＥＤ照明管１は、図１−図６に示すように、基材１１と、複数のＬＥＤ（発光ダイオード）１２と、外装１３と、一対のホルダ１４ａ、１４ｂとを備えている。
【００２１】
前記基材１１は、断面形状が略半円形状である半円筒状であり、当該基材の前記略半円形状の弦に対応する平面部１１ａに、当該平面部１１ａから垂直方向に発光する複数のＬＥＤ１２が、前記基材１１の軸方向に沿って二つの列を形成して配置されている。
【００２２】
これにより、前記ＬＥＤ１２の発する光は、全て前記平面部１１ａに対して垂直方向に外部に向かって進行するため、前記平面部１１ａに対向する面（部分）の照度は、著しく高く（明るく）なる。
【００２３】
本考案に係る蛍光灯型ＬＥＤ照明管の実施形態では、図６に示すように、前記基材１１の平面部１１ａが、略台形状に凹んでおり、当該凹みの中央部に、前記ＬＥＤ１２が配置されている。
【００２４】
又、前記基材１１は、例えば、アルミニウムなどの金属製からなり、前記基材１１の平面部１１ａには、例えば、前記ＬＥＤ１２を配置させるためのプリント配線盤１２ａが設けられている。又、前記基材１１の略半円形状の弧に対応する曲面部１１ｂには、適度に空洞が形成されており、光を透過不可とする光非透過性カバーとして機能する。
【００２５】
前記外装１３は、透明性に構成され、半円筒状に形成されており、例えば、従来の蛍光灯のガラス管を軸方向に半分に分断することにより得られる。前記外装１３は、前記基材１１の平面部１１ａに固定される。
【００２６】
又、前記一対のホルダ１４ａ、１４ｂは、例えば、プラスチックなどの合成樹脂からなり、前記基材１１と前記外装１３との両端部にそれぞれ取り付けられる。又、前記一対のホルダ１４ａ、１４ｂは、各ＬＥＤ１２毎に電気的に接続された前記基材１１の導電線（図示せず）に電気的に接続される通電用のピン１５をそれぞれ備えている。前記通電用のピン１５は、例えば、通常の建物の天井に予め設置された照明管装着部（図示せず）の両端の孔に電気的に接続（挿通）させられ、当該電気的な接続により、前記ＬＥＤ１３に電力が供給され、当該ＬＥＤ１２は発光することになる。もちろん、前記電力供給は、前記照明管装着部に予め接続されたスイッチによりＯＮ／ＯＦＦが制御される。
【００２７】
ここで、本考案に係る蛍光灯型ＬＥＤ照明管１では、前記ＬＥＤ１２の発する光に対面する前記外装１３の内周壁に、当該光を乱反射させて拡散させるとともに、所定の透過度で透過させる光透過拡散フィルム１６を設けている。
【００２８】
これにより、前記ＬＥＤ１２から発した光の一部は、前記光透過拡散フィルム１６を介して透過し、自身の直進性により、前記平面部１１ａに対して垂直方向に進行する。一方、前記光の残部は、当該光透過拡散フィルム１６を介して前記外装１３の内周壁で乱反射し、あらゆる方向に進行することになる。
【００２９】
ここで、前記あらゆる方向に進行した光は、再度、前記光透過拡散フィルム１６に照射し、当該照射した光の一部が、自身の直進性によりそのまま進行するとともに、当該光の残部が、更に、前記外装１３の内周壁（内部）で乱反射を繰り返す。もちろん、当該光の残部は、前記外装１３と固定される基材１１の平面部１１ａの表面とも反射される。
【００３０】
このような過程を経ることで、前記外装１３の軸方向に対して特定の方向に向かうＬＥＤ１２の照射角度を、あらゆる方向の角度に変更させ、前記外装１３の軸方向に対して放射状にするのである。その結果、本考案に係る蛍光灯型ＬＥＤ照明管では、従来の蛍光灯と同様の照射角度を得ることが可能となる。
【００３１】
ここで、前記光透過拡散フィルム１６の透過度は、前記ＬＥＤ１２の照射角度が、前記外装１３の軸方向に対して放射状となるのであれば、どのような値でも構わないが、例えば、０．１〜０．８の範囲内であれば、好ましく、更に、０．２〜０．６の範囲内であれば、より好ましい。尚、１から前記透過度を減算した値が、拡散度（反射度）に対応する。
【００３２】
又、前記光透過拡散フィルム１６の構成は、どのような構成でもよく、例えば、透明性の優れる合成樹脂のフィルムの片面又は両面の表面に、拡散性を有する突起を設けた構成や、当該フィルムの内部に、拡散性を有する粒子を点在させた構成などが挙げられる。
【００３３】
このように、本考案に係る蛍光灯型ＬＥＤ照明管１は、前記ＬＥＤ１２の発する光に対面する前記外装１３の内周壁に、当該光を乱反射させて拡散させるとともに、所定の透過度で透過させる光透過拡散フィルム１６を設けている。
【００３４】
これにより、前記ＬＥＤ１２の照射角度を、前記外装１３の軸方向に対して放射状にし、従来の蛍光灯と同様の照射角度を得ることが可能となる。
【産業上の利用可能性】
【００３５】
以上のように、本考案に係る蛍光灯型ＬＥＤ照明管は、様々な建物内外に設置される照明管に有用であり、従来の蛍光灯と同様の照射角度を得ることが可能な蛍光灯型ＬＥＤ照明管として有効である。
【符号の説明】
【００３６】
１    蛍光灯型ＬＥＤ照明管
１１  基材
１２  ＬＥＤ
１３  外装
１４ａ、１４ｂ、  ホルダ
１５  ピン
１６  光透過拡散フィルム
【図１】
0003176787.tif 000003
【図２】
0003176787.tif 000004
【図３】
0003176787.tif 000005
【図４】
0003176787.tif 000006
【図５】
0003176787.tif 000007
【図６】
0003176787.tif 000008